(57)【要約】本願発明によれば、１つ以上の月の画像がダイアル上に表示され、ダイアル上に設置された回転可能部材により、満月、欠けてゆく月、新月、そして満ちてゆく月の画像がそれぞれ表示されるとともに、回転可能部材を、単一方向または双方向に回転させる機能を有しており、かつ、同時、または選択的に、北半球および／または南半球から観測される月の位相に合致する月の位相を表示するための月位相表示装置を備えた着用型装置が提供される。【選択図】図２
2016508614.tif 000002
【特許請求の範囲】
【請求項１】
月位相表示装置を備えた着用型装置であって、
前記月位相表示装置が、
表面および裏面を有するダイアルと、
前記ダイアルの表面に、少なくとも１つの月の画像と、
前記ダイアルの上に設置された回転可能部材であって、少なくとも１つの第１の指針および少なくとも１つの第２の指針をそれぞれ有し、当該第１の指針および第２の指針は円形であるとともに、不透明である回転可能部材と、を含んで構成されており、
かつ、
前記回転可能部材が、所定の開始位置から、所定の回転方向へ回転することにより、前記第１の指針が、前記月の画像を徐々に覆うことで、月が欠けるように見え、それに引き続き、
前記第１の指針が、前記月の画像を徐々に露出させることで、月が満ちていくように見え、
さらに、前記第１の指針が、前記月の画像を完全に露出させるまで、前記回転可能部材が、前記回転方向へ回転した後、前記第２の指針が、前記回転可能部材において、前記開始位置にある際に、当該第１の指針の存在していた場所に位置することを特徴とする月位相表示装置を備えた着用型装置。
【請求項２】
前記回転可能部材における前記開始位置から、前記回転可能部材を、前記第１の方向に回転させるコントローラを備えており、当該コントローラにより、
（ｉ）前記第１の指針により、前記月の画像が徐々に覆われることで、月が欠けるように見せる状態と、
（ｉｉ）前記第１の指針により、前記月の画像が覆われることで、新月を示す月の位相を提供する状態と、
（ｉｉｉ）前記第１の指針により、前記月の画像が徐々に露出されることで、月が満ちていく状態と、がもたらされ、
前記第１の指針により、前記月の画像が完全に露出されるまで、前記回転可能部材が、回転することを特徴とする請求項１に記載の月位相表示装置を備えた着用型装置。
【請求項３】
前記回転方向を第１の方向としたときに、当該第１の方向が、反時計回りであることを特徴とする請求項２に記載の月位相表示装置を備えた着用型装置。
【請求項４】
月位相表示装置を備えた着用型装置であって、
前記月位相表示装置が、
表面および裏面を有するダイアルと、
前記ダイアルの表面に、少なくとも１つの第１の月の画像および少なくとも１つの第２の月の画像と、を有しており、
前記第２の月の画像は、前記第１の月の画像と離れて配置されており、
前記ダイアルの上に設置された回転可能部材であって、少なくとも１つの指針を備え、当該指針は円形であるとともに不透明であり、かつ、
前記第１の月の画像または前記第２の月の画像のいずれの月の位相表示を使用するのかを選択する選択手段が設けてあって、当該選択に応じて、コントローラが、前記回転可能部材を、複数の開始位置の内の１つの位置にしており、
前記複数の開始位置の一つである開始位置から、前記回転可能部材が、所定方向へ回転することにより、選択された前記第１の月の画像または前記第２の月の画像が、前記指針により徐々に覆われることにより、前記月の画像が欠けていくように見えることができ、次いで、前記指針が、前記月の画像を徐々に露出させることにより、前記月の画像が満ちていくように見える選択手段と、を有しており、
前記選択手段において、前記第１の月の画像による月の位相表示を選択した場合は、北半球から観測される月の位相に対応した表示となり、前記第２の月の画像による月の位相表示を選択した場合は、南半球から観測される月の位相に対応した表示となることを特徴とする月位相表示装置を備えた着用型装置。
【請求項５】
前記回転可能部材が、前記所定方向に回転している間、前記指針が、選択されない方の月の表示を覆うカバーを備えることを特徴とする請求項４に記載の月位相表示装置を備えた着用型装置。
【請求項６】
前記回転可能部材が、前記所定方向に、所定速度としての第１の速度で新月を表示するまで回転し、満ちていく月を表示するために回転可能部材が回転をする前に、前記回転可能部材が、前記所定方向へ、前記第１の速度よりも速い、第２の速度で回転し、指針により月の画像を徐々に露出させる位置まで回転することを特徴とする請求項５に記載の月位相表示装置を備えた着用型装置。
【請求項７】
前記第１の月の画像が、ダイアルの上半分に位置し、前記第２の月の画像が、ダイアルの下半分に位置することを特徴とする請求項４に記載の月位相表示装置を備えた着用型装置。
【請求項８】
月位相表示装置を備えた着用型装置であって、
前記月位相表示装置が、
表面および裏面を有するダイアルと、
前記ダイアルの表面に少なくとも１つの第１の月の画像および少なくとも１つの第２の月の画像と、
前記ダイアルの上に設置された回転可能部材であって、少なくとも１つの第１の指針および第２の指針をそれぞれ有しているとともに、当該第１の指針および第２の指針が円形かつ不透明である回転可能部材と、
を含んで構成されており、かつ、
所定の開始位置から、所定の回転方向への、前記回転可能部材の回転によって、前記第１の指針が、徐々に前記第１の月の画像を覆うことで、前記第１の月の画像が欠けていくように見え、同時に、前記第２の指針が徐々に前記第２の月の画像を覆うことで、前記第２の月の画像が欠けていくように見え、
次いで、前記第１の指針が、徐々に前記第１の月の画像を露出させることで、前記第１の月の画像が満ちていくように見え、同時に、前記第２の指針が徐々に前記第２の月の画像を露出させることで、前記第２の月の画像が満ちていくように見え、
前記第１の月の画像が、北半球から観測される月の位相を示し、第２の月の画像が、南半球から観測される月の位相を示すことを特徴とする月位相表示装置を備えた着用型装置。
【請求項９】
前記第１の月の画像が、前記ダイアルの上半分に位置し、前記第２の月の画像が、前記ダイアルの下半分に位置することを特徴とする請求項８に記載の月位相表示装置を備えた着用型装置。
【請求項１０】
前記開始位置を第１の開始位置としたときに、当該第１の開始位置とは異なる、所定位置としての第２の開始位置から、前記所定方向を第１の方向としたときに、当該第１の方向に対して逆方向となる第２の方向に、前記回転可能部材が回転し、前記第１の指針により、前記第１の月の画像が徐々に覆われることで、前記月の画像が欠けていくように見え、次いで、前記第１の指針により、前記月の画像が徐々に露出されることで、前記月の画像が満ちていくように見えることを特徴とする請求項１に記載の月位相表示装置を備えた着用型装置。
【請求項１１】
前記第１の方向が、反時計回りであり、前記第２の方向が、時計回りであることを特徴とする請求項１０に記載の月位相表示装置を備えた着用型装置。
【請求項１２】
前記第１の開始位置とは異なる、所定位置としての第２の開始位置から、前記所定方向を第１の方向としたときに、当該第１の方向に対して逆方向となる第２の方向に、前記回転可能部材が回転し、前記第１の指針により、前記月の画像が徐々に覆われることで、前記月の画像が欠けていくように見え、次いで、前記第１の指針により、前記月の画像が徐々に露出されることで、前記月の画像が満ちていくように見えることを特徴とする請求項４に記載の月位相表示装置を備えた着用型装置。
【請求項１３】
前記第１の方向が、反時計回りであり、前記第２の方向が、時計回りであることを特徴とする請求項１２に記載の月位相表示装置を備えた着用型装置。
【請求項１４】
前記第１の開始位置とは異なる、所定位置としての第２の開始位置から、前記所定方向を第１の方向としたときに、当該第１の方向に対して逆方向となる第２の方向に、前記回転可能部材が回転し、前記第１の指針により、前記月の画像が徐々に覆われることで、前記月の画像が欠けていくように見え、次いで、前記第１の指針により、前記月の画像が徐々に露出されることで、前記月の画像が満ちていくように見えることを特徴とする請求項８に記載の月位相表示装置を備えた着用型装置。
【請求項１５】
前記第１の方向が、反時計回りであり、前記第２の方向が、時計回りであることを特徴とする請求項１４に記載の月位相表示装置を備えた着用型装置。
【請求項１６】
月位相表示装置を備えた着用型装置であって、
前記月位相表示装置が、
表面および裏面を有するダイアルと、
前記ダイアルの表面に、少なくとも１つの月の画像と、前記ダイアルの上に設置された回転可能部材であって、少なくとも１つの指針を備え、当該指針は円形かつ不透明である回転可能部材を有しており、かつ、
所定位置としての開始位置から、前記回転可能部材が、所定速度で、所定方向へ回転し、前記月の画像が、前記指針により徐々に覆われることにより、前記月の画像が欠けていくように見え、次いで、前記指針が、前記月の画像を徐々に露出させることにより、前記月の画像が満ちていくように見え、
前記指針によって、前記月の画像が完全に露出されている状態の、前記回転可能部材の前記開始位置から、前記回転可能部材を、前記所定方向に回転させるコントローラを備えており、当該コントローラにより、（ｉ）前記指針により前記月の画像が徐々に覆われることで、月が欠けているように見える状態と、（ｉｉ）前記指針により前記月の画像が覆われることで、新月を示す月の位相を提供する状態と、（ｉｉｉ）前記指針により前記月の画像が徐々に露出されることで、月が満ちているように見える状態と、がもたらされて、加えて、
前記指針により、前記月の画像が完全に露出されるまで、前記回転可能部材が、前記所定方向へ回転し、
前記指針により、前記月の画像が完全に露出されるまで、前記回転可能部材が回転した後、前記コントローラが、前記回転可能部材を、前記開始位置に戻るまで、前記所定方向へ回転し続けることを特徴とする月位相表示装置を備えた着用型装置。
【請求項１７】
前記コントローラが、前記回転可能部材における、前記開始位置に戻るまで、前記所定速度を第１の速度としたときに、当該第１の速度よりも速い、第２の速度で回転することを特徴とする請求項１６に記載の月位相表示装置を備えた着用型装置。
【請求項１８】
前記回転可能部材が、前記所定方向を第１の方向としたときに、当該第１の方向に対して逆方向となる第２の方向に回転するときの角度が１８０度であることを特徴とする請求項１６に記載の月位相表示装置を備えた着用型装置。
【発明の詳細な説明】
【技術分野】
【０００１】
本発明は、主に、月の位相を表示するための月位相表示装置を備えた着用型装置（着用可能装置）に関する。
特に、表示オプションが増加し、機能性が向上し、改良された月位相表示装置を備えた着用型装置およびその月位相表示方法に関する。
また、特に望ましい実施形態では、着用型装置は腕時計が対象であるが、本発明が、かかる対象のみに制限されないことは、開示された内容により十分理解されるところである。
【背景技術】
【０００２】
ルナ（Lunar）または月の位相表示装置（ここでは両者は同じ意味として、解釈する）は、長年に渡り、着用型装置の一部として、特に時計に組み込まれている。
例えば、第三者による装置設計は、先行技術として、特許文献１〜特許文献６において、それぞれ確認することができる。
しかしながら、先行技術としての上述の装置設計の構造では、それぞれ問題点を有すると考えられている。例えば、これら先行技術の多くは、余分な伝達装置を必要としており、その結果得られる表示オプションが制限されている。
【０００３】
また、月の位相表示を組みこんだ商品として、Ｊａｑｕｅｔ−Ｄｒｏｚブランドによる「エクリプス・アイボリー・エナメル」と称される時計が知られているが、この時計の構造設計においても問題点が知られている。
例えば、この時計の構造設計では、指針の回転能力に制限があり、月の位相のサイクルの表示が完結した後、逆方向（時計回り、または反時計回りの逆方向）に回転する必要がある。加えて、従来公知の構造設計では、北半球と南半球を同時に表示することができないことに関しても、機能上等の制限が存在している。
【先行技術文献】
【特許文献】
【０００４】
【特許文献１】米国特許第６，９２８，０３２号明細書
【特許文献２】米国特許第７，６０９，５８７号明細書
【特許文献３】米国特許出願公開第２０１１／０２９２７６８号明細書
【特許文献４】米国特許出願公開第２０１１／０３１０７０７号明細書
【特許文献５】特開昭６０−０６０５８０号公報
【特許文献６】欧州特許第１４４５６７２号明細書
【発明の概要】
【発明が解決しようとする課題】
【０００５】
したがって、月の位相表示に関しても、従来技術は改善される必要がある。
例えば、固定されたダイアルに月の画像が印刷されるか、または接着され、回転可能部材が、ダイアルの上に設置され、元の位置に戻るために指示器が逆方向に動くことがなく、そして、北半球および南半球両方の月の位相が、表示される月の位相表示を提供することが、さらなる表示の利点の上で望ましい。
【０００６】
よって、本明細書において開示されるように、従来技術の月位相表示付きの着用型装置における問題点の解決や他の目的達成も、課題としてとらえられている。
【０００７】
従来技術において認識された、上述したような問題点を解決することが、本発明の目的である。
【０００８】
具体的には、回転部品を最小限とする月の位相表示を備えた着用型装置を提供することが本発明の目的の一つである。
例えば、月の位相が確認できるように、月の画像が固定されており、回転部品がダイアルの上に配置されている着用型装置を提供することは有利な構成である。
【０００９】
また、本発明の更なる目的としては、北半球および／または南半球における月の位相を、同時または選択的に表示可能な着用型装置を提供することである。
【００１０】
さらに、本発明の別の目的は、そのような月位相表示のために、コントローラや他のコンポーネントを簡単に変更できるものであって、追加の伝達装置や、複雑な伝達装置を必要としない着用型装置を提供することである。
【００１１】
加えて、本発明の更なる別の目的は、一定速度で回転する回転可能部材が、前の開始位置に戻るべく、逆方向に動く動作の必要性を省略することが可能な月位相表示装置を提供することである。
【００１２】
また、本発明の更なる目的は、必要に応じて、回転が単一方向のモーターを月位相表示に使用可能とすることであり、回転が双方向のモーターに限定されないことである。
【００１３】
加えて、本発明の更なる目的は、上述した内容を実現および／又は容易化する方法を提供することである。
【００１４】
なお、本発明の更なる目的及び利点等は、図面及び明細書本文を考慮することによって、さらに明らかになる。
【００１５】
したがって、本発明は、以下に記載した構造、図面及び明細書本文で例示する構造、要素の組み合わせ、部品の配置及び一連の手順の特徴を備えているが、基本的に、本発明の技術的事項は、少なくとも特許請求の範囲に示されるものとする。
【課題を解決するための手段】
【００１６】
本発明の好適な第１の実施形態は、月の位相を表示するための装置である月位相表示装置を備えた着用型装置（ウエアブル装置）に関するものである。
すなわち、月位相表示装置が、表面および裏面を有するダイアルと、ダイアルの表面に、月の画像（第１の月の画像と称する場合がある。）と、ダイアルの上に備えられた回転可能部材と、を含んでいる。
そして、回転可能部材は、少なくとも１つの第１の指針と、少なくとも１つの第２の指針と、をそれぞれ備えており、両指針（第１の指針および第２の指針）は、少なくとも実質的に円形かつ不透明である。
また、回転可能部材が、所定の開始位置（第１の開始位置と称する場合がある。）から、所定方向（第１の方向と称する場合がある。）へ回転し、第１の指針が、月の画像を徐々に覆うことにより、月の画像が欠けていくように見え、次いで、第１の指針が、月の画像を徐々に露出させることにより、月の画像が満ちていくように見える。
そして、回転可能部材が、第１の指針によって、少なくとも実質的に完全に月の画像を、露出させたときに、第２の指針が、回転可能部材における開始時において第１の指針が存在していた開始位置に、実質的に戻って、そこに位置していることを特徴とする、月位相表示装置を備えた着用型装置である。
【００１７】
また、本発明の好適な第２の実施形態は、月の位相を表示するための装置である月位相表示装置を備えた着用型装置であって、月位相表示装置が、表面および裏面を有するダイアルと、ダイアルの表面に、少なくとも１つの第１の月の画像および第２の月の画像をそれぞれと、を有しており、第２の月の画像は、第１の月の画像と、距離的に離れて配置されている。
また、ダイアルの上に設置された回転可能部材であって、少なくとも１つの指針（第１の指針と称する場合がある。）を備えており、当該指針は少なくとも実質的に円形かつ不透明である回転可能部材を有している。
そして、第１の月の画像または第２の月の画像のうち、いずれの月位相表示を使用するのかを選択する選択手段が設けてあって、当該選択に応じて、コントローラが、回転可能部材を複数の開始位置の内の１つに位置させ、その複数の開始位置の一つであって、所定位置としての第１の開始位置から、回転可能部材が、所定方向（第１の方向と称する場合がある。）へ回転することにより、選択された第１の月の画像または第２の月の画像が、指針により徐々に覆われることにより、月の画像が欠けていくように見え、次いで、指針が月の画像を徐々に露出させることにより、月の画像が満ちていくように見えるようにする選択手段と、を有している。
よって、当該選択手段において、第１の月の画像による月の位相表示を選択した場合は、北半球から観測される月の位相に対応した表示となり、第２の月の画像による月の位相表示を選択した場合は、南半球から観測される月の位相に対応した表示となることを特徴とする、月位相表示装置を備えた着用型装置である。
【００１８】
また、本発明の好適な第３の実施形態は、月の位相を表示するための装置である月位相表示装置を備えた着用型装置であって、月位相表示装置が、表面および裏面を有するダイアルと、ダイアルの表面に少なくとも１つの第１の月の画像および第２の月の画像と、ダイアルの上に設置された回転可能部材であって、少なくとも１つの第１の指針および少なくとも１つの第２の指針を有している。
そして、回転可能部材における第１の指針および第２の指針は、それぞれ少なくとも実質的に円形かつ不透明であって、所定位置（第１の開始位置と称する場合がある。）から、所定方向（第１の回転方向と称する場合がある。）へ、回転可能部材の回転によって、第１の指針が徐々に第１の月の画像を覆うことで、第１の月の画像が欠けていくように見え、同時に、第２の指針が徐々に第２の月の画像を覆うことで、第２の月の画像が欠けていくように見える。
次いで、第１の指針が徐々に第１の月の画像を露出させることで、第１の月の画像が満ちていくように見え、同時に、第２の指針が徐々に第２の月の画像を露出させることで、第２の月の画像が満ちていくように見える。
そして、第１の月の画像が北半球から観測される月の位相を示し、第２の月の画像が南半球から観測される月の位相を示すことを特徴とする、月位相表示装置を備えた着用型装置である。
【００１９】
さらに、本発明の好適な第４の実施形態は、月の位相を表示するための装置である月位相表示装置を備えた着用型装置であって、月位相表示装置が、表面および裏面を有するダイアルと、ダイアルの表面に少なくとも１つの月の画像（第１の月の画像と称する場合がある。）と、ダイアルの上に設置された回転可能部材と、を含んで構成されており、かつ、回転可能部材は、少なくとも１つの指針（第１の指針と称する場合がある。）を有しており、当該指針は、少なくとも実質的に円形かつ不透明である。
そして、所定位置（第１の開始位置と称する場合がある。）から、所定方向（第１の回転方向と称する場合がある。）への回転可能部材の回転によって、指針が徐々に月の画像を覆うことで、第１の月が欠けていくように見え、次いで、指針が徐々に月の画像を露出させることで、月の画像が満ちていくように見える月位相表示装置を備えた着用型装置である。
また、指針によって月の画像が完全に露出されている状態となる、回転可能部材の開始位置（第１の開始位置）から、当該回転可能部材を、所定方向（第１の回転方向）に回転させるコントローラを備えており、当該コントローラにより、（ｉ）指針により月の画像が徐々に覆われることで、月が欠けているように見せる状態と、（ｉｉ）指針により月の画像が少なくとも実質的に覆われることで新月を示す月の位相を提供する状態と、（ｉｉｉ）指針により月の画像を徐々に露出させることで、月が満ちているように見せる状態と、がもたらされる。
そして、かかる指針により、月の画像が少なくとも実質的に完全に露出されるまで、回転可能部材が回転することを特徴とする月位相表示装置を備えた着用型装置である。
【００２０】
なお、本発明の好ましい実施形態において、月位相表示装置を備えた着用型装置としては、例えば、腕時計が挙げられる。
【図面の簡単な説明】
【００２１】
【図１】図１は、本発明によって構成された時計型の着用型装置の透視図である。
【図２】図２（ａ）〜（ｉ）は、第１の実施形態における月位相表示装置を説明するために供する図である。
【図３】図３（ａ）〜（ｊ）は、第２の実施形態における月位相表示装置を説明するために供する図である。
【図４】図４（ａ）〜（ｉ）は、第３の実施形態における月位相表示装置を説明するために供する図である。
【図５】図５（ａ）〜（ｉ）は、第４の実施形態における月位相表示装置を説明するために供する図である。
【図６】図６は、本発明の目的達成と利点の観点で好ましい実施形態に基づいて構成されたコントローラのブロック図である。
【図７】図７（ａ）〜（ｊ）は、第２の実施形態の別の態様における月位相表示装置を説明するために供する図である。
【図８】図８（ａ）〜（ｊ）は、第２の実施形態の別の態様における月位相表示装置を説明するために供する図である。
【発明を実施するための形態】
【００２２】
以下、上述した本発明の特徴や、それ以外の特徴につき、明細書の好適実施形態に記載してあるが、適宜、上記図面を参照しながら説明する。
但し、各図面において、同様の部材または部位には同様の参照番号（符号）を用いている一方、各図面のすべての部材または部位に参照番号（符号）を付しているわけではない点に留意すべきである。
【００２３】
まず、図１において、参照番号１０で示した着用型装置が、本発明における構成を示している。また、好ましい実施形態において、着用型装置１０は時計（例えば、腕時計）である。
しかしながら、多種類の製品に組み合わせることができるため、本発明が腕時計に限定されないことは当業者であれば理解できることである。
また、その製品の一部は、米国特許第７，１１３，４５０号において開示されており、かかる特許の内容や目的の全ては、本願の明細書に記載されているごとく全面的に組み込まれる。
【００２４】
また、本発明の全ての好ましい実施形態では、着用型装置１０は、月位相表示装置を備えている。
ここで、図１において、参照番号２０により示される表示装置では、ダイアルに対して取り得る多くの位置および構造の内の一つが単に例示されており、ダイアル自体は参照番号３０で示されている。
なお、表示装置２０のダイアルに対する位置は、当業者の設計的事項である。そして、図１に示される表示装置は一例であり、本発明に基づいて構成され、本明細書に開示されている多くの他の表示装置を表すことを意図している。
したがって、いずれの表示装置も本発明の着用型装置に組み込むことが可能であることは理解される。
【００２５】
次に、第１の実施形態として、図２において参照番号２０Ａで示される表示装置を具体的に説明する。
ここでは、本発明の第１の実施形態が示されている。図２では、表示装置２０Ａは参照番号３０Ａで示されるダイアルを備え、かかるダイアルは、表面と裏面を有する。さらに、参照番号３５で示されるように、表示装置２０Ａは、ダイアル３０Ａの表面に少なくとも１つの第１の月の画像を備えている。また、参照番号４０で示される回転可能部材が、ダイアル３０の上、好ましくは心棒４５に備えられる（図１）。心棒４５は一つ以上の歯車からなる歯車装置に接続されており、それ自体はステッピング・モーター等のモーターと接続されることが望ましい。回転可能部材その他の指示器の例と、それらが１以上の歯車によってステッピング・モーターに接続される態様は、米国特許第７，１１３，４５０号に記載されており、当業者には周知の事項である。また、図６には、本発明の実施形態における回転可能部材を回転させる例示的なモーターＭ１が図示されている。
また、図２の実施形態では、回転可能部材４０は、少なくとも１つの第１の指針５０と、少なくとも１つの第２の指針５２を備えており、指針５０と指針５２は少なくとも実質的に円形かつ不透明であることが望ましい。
ここで使用される「少なくとも実質的に」という表現は、本発明の目的を達成するために必ずしも指針が完全に円形かつ不透明である必要性はないことを意味している。
すなわち、「少なくとも実質的に円形」とは、月を覆う部分（指針５０または指針５２）が円形か、円形に近い状態であることで、それにより月の形を最も正確に描写できるということを意図している。
同様に、視認が困難である月（例えば新月）を正確に表現するためには、指針５０および／または指針５２が月の画像を覆う際に、それらの指針によって月の画像が隠されることが望ましい。
したがって、これら指針が、完全に不透明であり、月の画像を完全に隠すだけの十分な面積を有することが望ましいが、ある程度の透明性を有していたとしても、本発明の目的達成を妨げるものではない。
【００２６】
加えて、図４、図７、および図８に示される回転可能部材と同様に、図２に示される回転可能部材も２つの窓を有している。
例えば、図２（ａ）において、窓９０および窓９５として例示されるが、全ての図にかかる表示をしているわけではない。
【００２７】
さらに、図２においてさらに示されるように、図２（ａ）は、所定位置として、好ましい第１の開始位置にある回転可能部材４０を示している。
すなわち、第１の指針５０は、月の画像３５のやや右下側に位置しており、第２の指針５２は、月の画像３５のやや左下側に位置している。
ここで、例示的な目的のため、第１の指針５０としての指針を参照する。すなわち、所定方向としての第１の方向（例えば、時計回り）に、回転可能部材４０が回転することで、月の画像３５が欠けていくよう見えるが、これは月の画像３５が指針５０によって徐々に隠されていることによるものである（図２（ｂ）、図２（ｃ）、および図２（ｄ））。
加えて、月の画像が、指針５０によって徐々に露出されることで、月の画像３５が満ちていくように見える（図２（ｆ）、図２（ｇ）、および図２（ｈ））。
【００２８】
また、図２（ｅ）は、月の画像が指針５０により、望ましく完全に覆われている状態を示す。
しかしながら、指針５０が正円形や１００％不透明ではなく、または完全に整列もしくは中心に位置していない場合は、少なくとも実質的に覆われている月の画像３５が得られる。なお、図２（ｅ）は「新月」の場合に対応し、図２（ｉ）は「満月」の場合を示す。
【００２９】
以下において完全に開示されるように、本発明の着用型装置は、回転可能部材４０を、第１の方向として、例えば、反時計回りに回転させる少なくとも１つのコントローラを備えている。
すなわち、かかるコントローラは、回転可能部材４０を反時計回りに回転させることにより、（ｉ）指針５０が、月の画像３５を徐々に覆うことにより、月の画像３５が欠けていくように見せる状態とすることができる（図２（ｂ）、図２（ｃ）、および図２（ｄ））、（ｉｉ）。
また、指針５０が、月の画像３５を完全に覆うことにより、「新月」を表現することができる（図２（ｅ））。
また（ｉｉｉ）指針５０が、月の画像３５を露出させることにより、月の画像３５が満ちているように見せることができる（図２（ｆ）、図２（ｇ）、および図２（ｈ））。
そして、再度、月の画像３５が満月になるまで、回転可能部材４０は、反時計回りに回転し、指針５０が月の画像３５を少なくとも実質的に完全に露出させる状態にすることができる（図２（ｉ））。
【００３０】
本発明の有利な点としては、月の画像が、図２（ｉ）に示す第１の指針によって少なくとも実質的に完全に覆われる状態となるまで、回転可能部材４０が反時計回りに回転した後において、第２の指針５２は、回転可能部材が第１の開始位置にあった際の指針５０の位置に、すでに、少なくとも実質的に戻って、そこに位置することである。
したがって、図２に示される本発明の実施形態は、図２（ｉ）の「満月」の後の新月に向けたサイクルの準備をするために、回転可能部材４０を、逆方向あるいは正方向に回転させる必要がなく、従来技術と比較して圧倒的に有利な点の一つとである。
【００３１】
次に、第２の実施形態として、図３に本発明のさらに好ましい実施形態を示す。
この実施形態では、参照番号２０Ｂで示される表示装置は、参照番号３０Ｂで示されるダイアルを備えており、ダイアルは表面と裏面を有する。
また、表示装置２０Ｂは、ダイアル３０Ｂの表面に、参照番号３５Ｂで示される少なくとも１つの第１の月の画像と、参照番号３６Ｂで示される１つの第２の月の画像と、を有している。
さらに、この実施形態では、参照番号４０Ｂで示される回転可能部材が、ダイアル３０Ｂの上部、さらに望ましくは心棒４５に組み込まれ、かつ、前述の実施形態に類似していることが望ましい。
そして、図３に示される実施形態では、回転可能部材４０Ｂは、第１の指針５０Ｂを備えている。また、第１の指針５０Ｂは、上述と同様の理由により、少なくとも実質的に円形かつ不透明である。
【００３２】
図３に示す実施形態は、前述の実施形態において記載され、図２（ａ）〜図２（ｉ）において示されたものと同様に機能する。
しかしながら、図３に示す実施形態は、北半球および南半球の両方の月の位相の表示という追加の特徴を有している。
例えば、図２で示されたように、北半球において観測される月の位相に関しては、月の画像３５Ｂの上を第１の指針５０Ｂが覆うようにして動くことにより表現される。
一方、南半球から観測される月の位相に関しては、月の画像３６Ｂの上を第１の指針５０Ｂが覆うようにして動くことにより表現される。
後者の、南半球の月の表示を表現する場合は、回転可能部材４０Ｂの開始位置は、図３（ｊ）に示される。そして、引き続く指針５０Ｂの回転は、図４、指針５２Ｃおよび月の画像３６Ｃを参照して説明する。
【００３３】
また、図３に示す実施形態のその他の特徴として、第１の月の画像３５Ｂ（北半球の月に対応）または第２の月の画像３６Ｂ（南半球の月に対応）の内から選択することができる。
すなわち、プッシャー（押圧部）およびその他の付随するソフトウェアおよびハードウェアを使用した選択方法については、図６を参照して説明される。
より具体的には、プッシャー等を用いて適宜選択をすることによって、コントローラが、回転可能部材４０Ｂを、２つの開始位置（第１の開始位置および第２の開始位置）の内の１つの開始位置へと、回転させることができる。
例えば、第１の月の画像３５Ｂを用いた月の位相を表示するように選択すると、北半球から観測される月の位相を表示することができ、第２の月の画像３６Ｂを用いた月の位相を表示するように選択すると、南半球から観測される月の位相を表示することができる。
【００３４】
北半球の表示では、月の画像３５Ｂが第１の指針５０Ｂ（図３（ｉ）を参照）により少なくとも実質的に完全に覆われるように回転可能部材が回転した後、下記において詳細に説明されるコントローラが、回転可能部材を時計回りに回転させるか、継続的に反時計回りに回転させ、元の位置（図３（ａ））に戻す。
この場合、第１の指針５０Ｂが、図３（ａ）の位置から図３（ｉ）の位置へ移動する通常の速度よりも、速い速度で移動することが望ましい。
なお、南半球の表示においても、同様の回転がなされる。
【００３５】
また、図３に示すように、第１の月の画像３５Ｂは、ダイアル３０Ｂの上半分に位置し、第２の月の画像３６Ｂは、ダイアル３０Ｂの下半分に位置していることが好ましい。
【００３６】
図７は、図３示される２つの月の画像に基づく好ましい実施形態の代替の実施形態である。
図７に示される実施形態の構造は、図３の実施形態におけるダイアル、第１の月の画像および第２の月の画像の構造と同様の構造である。
ここで、図７の実施形態と、図３の実施形態の相違点は、図７の実施形態においては、参照番号１４０Ｂで記載される回転可能部材の「窓」（図２（ａ）に示される窓９５）が不透明であり、「開いた状態の窓」が１つである点である（窓９０）。この場合、図７における指針５０Ｂは大きく、全体的に覆うことが可能である（参照番号１６０および図７の点線参照）。
したがって、請求の範囲に記載される内容を理解するため、かかる請求の範囲における実施形態の「指針」に対する言及においても、上述され、図７で示されたカバー１６０を含みうるように広いものとしている。
【００３７】
図７に示される実施形態において、図３の実施形態と同様、図７の実施形態では、着用者が選択していない方の半球の月を、表示させたくなければ、表示させないこともできる。
【００３８】
例えば、図３の実施形態と同様、着用者が第１の月の画像３５Ｂ（北半球に対応）を表示させるように選択した場合、「カバー」１６０を含む指針５０Ｂは、続いて、第２の月の画像３６Ｂを覆い、その間、回転可能部材は図７（ａ）〜図７（ｉ）に示されるように回転する。
ただし、一時的な例外として、図７に示される実施形態で明らかであるように、図７Ｅの「新月」の位置から、続いて満ちていく月を適切に表示する準備位置である図７（ｆ）の位置へと移動するには、数秒以内の高速回転が必要とされる。
この高速回転は、時計回りであっても、反時計回りであっても良い。この例においては、図７に示されるように構成された回転可能部材は、一貫して北半球から観測される月の画像を表示させる。
一方、第２の月の画像は隠されていることから、混乱を招くことなく、不必要な月の画像を表示させることもない。
【００３９】
図８に示される実施形態は、南半球から見た月の画像を表示するように応用させられること以外は、図７に示される設計と非常に類似しており、視認することが出来る月の画像が参照番号３６Ｂで表わされる。それ以外では、図８に示される実施形態は、図７に示される実施形態と非常に類似している。
【００４０】
次に、図４を参照する。図４では、本発明におけるさらに別の好ましい実施形態を示している。
この実施形態の表示装置は、参照番号２０Ｃで示され、表面および裏面をダイアルは参照番号３０Ｃで示されている。そして、表示装置２０Ｃにおいても、ダイアル３０Ｃの表面に、参照番号３５Ｃで示される少なくとも１つの第１の月の画像と、参照番号３６Ｃで示される１つの第２の月の画像と、を有している。
この実施形態は、参照番号４０Ｃで示される回転可能部材がダイアル３０Ｃの上部、さらに望ましくは心棒４５に組み込まれ、かつ、前述の実施形態に類似していることが望ましい。
すなわち、図４に示される実施形態では、回転可能部材４０Ｃは少なくとも１つの第１の指針５０Ｃと、少なくとも１つの第２の指針５２Ｃと、が備えられている。また、第１の指針５０Ｃおよび第２の指針５２Ｃは、上述と同様の理由により、少なくとも実質的に円形かつ不透明である。
そして、図４に示される実施形態では、上述と記載と同様に作動し、その多くの特徴を有するが、さらに、北半球と南半球において観測される月の位相を同時に表示できるという追加の特徴を有している。
【００４１】
例えば、北半球において観測される月の位相に関しては、上述の記載のとおり月の画像３５Ｃの上を第１の指針５０Ｃが覆うようにして動くことにより表現され、その間、南半球から観測される月の位相に関しては、月の画像３６Ｃの上を第２の指針５２Ｃが覆うようにして動くことにより表現される
【００４２】
また、南半球の月の位相を表現する回転可能部材４０Ｃの開始位置についても、図４Ａに示されている。
【００４３】
具体的には、指針５２Ｃは月の画像３６Ｃのやや左上（時計回りの方向）に位置している。
ここで、第１の方向（例えば、反時計回り）に、回転可能部材４０Ｃが回転することで、月の画像３６Ｃが欠けていくように見えるが、これは、月の画像３６Ｃが第２の指針５２Ｃによって徐々に隠されていることによるものである（図４（ｂ）、図４（ｃ）および図４（ｄ））。
加えて、月の画像３６Ｃが、第２の指針５２Ｃによって徐々に露出されることで、月の画像３６Ｃが、満ちていくように見える（図４（ｆ）、図４（ｇ）、図４（ｈ））。
【００４４】
また、図４（ｅ）は、月のイメージ３６Ｃが望ましく完全に覆われた状態を示しており、北半球および南半球の両方の「新月」を表している。
なお、北半球に関しても、第１の指針５０Ｃは、上述した実施形態と同様に作動する。図４（ｉ）は、引き続く北半球および南半球両方の「満月」を示している。
【００４５】
すでに上述し、下記で説明するコントローラは、本発明に記載のすべての回転可能部材の回転を管理する。
この場合では、全ての実施形態におけるコントローラは、それぞれ開示された回転可能部材を回転させ、第１の指針および／または第２の指針で月の画像を徐々に隠すことにより欠けていく月を表現し、加えて、第１の指針および／または第２の指針により少なくとも実質的に完全に月が覆われることにより「新月」を表現し、そして、第１の指針および／または第２の指針により月の画像を露わにすることで満ちていく月を表現する。
続いて、再度、それぞれの実施形態におけるそれぞれの回転可能部材が反時計回りに回転し、それぞれの指針により少なくとも実質的に完全に月を露わにすることで「満月」を表現する。
【００４６】
図４の実施形態における有利な特徴は、指針５０Ｃおよび指針５２Ｃのそれぞれが、「満月」の表示後に、すでに次の月位相表示のサイクルを開始するための適切な位置に位置し、追加の回転をする必要がない点である。
【００４７】
したがって、図４の実施形態に関しては、第１の開始位置（図４（Ａ））から、回転可能部材４０Ｃが、第１の方向（例えば、反時計回り）に回転することで第１の月の画像３５Ｃが徐々に第１の指針５０Ｃにより覆われ、それによって欠けてゆくように見える（図４（ｂ）、図４（ｃ）及び図４（ｄ））。
同時に、第２の指針５２Ｃが、第２の月の画像３６Ｃを同様に徐々に覆うことにより、第２の月の画像３６Ｃが欠けてゆくように見える（図４（ｂ）、図４（ｃ）および図４（ｄ））。
加えて、さらに、第１の指針５０Ｃが、第１の月の画像３５Ｃを徐々に露出させることにより、第１の月の画像３５Ｃが満ちてゆくように見える（図４（ｆ）、図４（ｇ）および図４（ｈ））。
同時に、第２の指針５２Ｃが、第２の月の画像３６Ｃを同様に徐々に露出させることにより、第２の月の画像３６Ｃが満ちていくように見える（図４（ｆ）、図４（ｇ）、図４（ｈ））。
この場合は、第１の月の画像３５Ｃは、北半球から、第２の月の画像３６Ｃは、南半球からそれぞれ観測される月の画像を表現している。
【００４８】
ここにおいても、第１の月の画像３５Ｃは、ダイアル３０Ｃの上半分に位置し、第２の月の画像３６Ｃはダイアル３０Ｃの下半分に位置することが好ましい。
【００４９】
続いて、図５において、参照番号２０Ｄで示される表示装置に関し、好ましい第４の実施形態を説明する。
すなわち、図５に示される実施形態では、表示装置２０Ｄは、上述の表示装置と同様に、表面および裏面を有するダイアル３０Ｄを備えている。
しかしながら、図５に示される実施形態は、参照番号３０Ｄで示されるように、月の画像は１つのみである。
また、参照番号４０Ｄで示される回転可能部材も備えられており、上述の実施形態と同様に設置されるモーターによって作動する。
ここでは、回転可能部材が備える指針は、指針５０Ｄの１つのみであり、この指針においても、上述と同様、少なくとも実質的に円形かつ不透明である。
【００５０】
上述した実施形態と同様、図５（ａ）は、好ましい第１の開始位置にある回転可能部材４０Ｄを示しており、指針５０Ｄは月の画像３５Ｄのやや右下に位置している。
ここにおいて、回転可能部材４０Ｄは、所定方向としての第１の方向（例えば、反時計回り）に回転し、これにより月の画像３５は、第１の指針５０Ｄが、徐々に月の画像３５Ｄを覆うことによって、欠けていくように見える（図５（ｂ）、図５（ｃ）および図５（ｄ））。
次に、第１の指針５０（ｄ）が、月の画像３５Ｄを徐々に露出させることにより、月の画像が満ちていくように見える（図５（ｆ）、図５（ｇ）および図５（ｈ））。
【００５１】
図５（ｅ）は、望ましく完全に月の画像が、指針５０によって覆われている状態を示しており、「新月」を表している。また、図５（ｉ）は、次の「満月」を表している。
【００５２】
また、コントローラは回転可能部材４０Ｄの回転を、前述の実施形態と同様の方法で制御する。
【００５３】
ここで、具体的に図５に示す実施形態を参照する。
すなわち、回転可能部材４０Ｄが、所定方向としての反時計回りに回転し、月の画像３５Ｄが、第１の指針５０Ｄにより、少なくとも実質的に完全に露出された状態になった場合において（図５（ｉ））、コントローラは、（ｉ）回転可能部材４０を第１の方向の逆方向（時計回り）に回転させ、元の開始位置である第１の開始位置（図５Ａ）に戻すか、または（ｉｉ）回転可能部材４０を、第１の方向（反時計回り）に回転させ続け、元の開始位置である第１の開始位置（図５（ａ））に戻るように設定される。
なお、図５（ｉ）の位置から、第１の図５（ａ）に示される位置への動作は、高速回転（数秒以内）で戻ることが望ましい。
【００５４】
すなわち、この実施形態においては、回転可能部材は、第１の開始位置から、第１の方向へと回転し、第１の回転速度で第１の指針が月の画像を徐々に覆うことにより、月の画像が欠けていくように見せる。
その後、第１の指針が、月の画像を徐々に露出させることにより、月が満ちていくように見せ、そして、月の画像が、第１の指針により少なくとも実質的に完全に露出されるまで、回転可能部材が第１の方向へと回転する。
その後、コントローラは、第１の回転速度よりも速い速度で、回転可能部材を回転させ、（ｉ）第１の方向とは逆の方向に回転させて元の位置（第１の開始位置）に戻すか、または、（ｉｉ）第１の方向と同じ方向に回転させ、元の位置（第１の開始位置）に戻すことが可能である。
このオプションは工場にて設定するか、もしくは使用者自身が選択できるようにする。もし、この実施形態が、回転可能部材が第１の方向と逆の方向の回転をする場合、上述の回転を実現するために、本発明の着用型装置は双方向に回転可能なモーターを備えることになる。
【００５５】
また、図５（ｉ）の位置から、図５（ａ）の位置へと回転する場合、時計回り、反時計回りのいずれにおいても、回転可能部材４０の回転は、およそ１８０度となる。すなわち、満月の後、回転可能部材４０Ｄは、時計回りに、１８０度より少し小さい角度だけ回転するか、または、反時計回りに、１８０度より少し大きい角度だけ回転することになる。
【００５６】
本発明による着用型装置は、北半球および南半球両方の月の状態の十分な情報を保ち、時および分単位の指針および回転とは別に、正しい月の状態を表示するための、十分なソフトウェア・ルーチンとデータが与えられる。これは、非常にフレキシブルであって、かつユーザーフレンドリーであり、その上、比較的容易に製造可能な着用型装置に適した月位相表示装置（アセンブリ）を提供することができる。
また、上述において示唆したとおり、着用型装置１０は、本明細書において記載され考慮されたすべての機能を作動可能な少なくとも１つのコントローラを備えており、加えて、少なくとも１つの作動機構（好ましくは、ステッピング・モータの形式）が使用され、さらに、１以上の歯車が回転可能な状態で作動機構と連動している。
そして、作動機構による作動により、１以上の歯車が回転し、適切に、正確に、かつ、漸進的に、本明細書に開示される回転可能部材を回転させることができる。
なお、本明細書で記載しているそれぞれの回転可能部材を回転させるのに使用されるステッパー・モーターのさらなる詳細な説明は、上述した米国特許第７，１１３，４５０号に記載されており、その内容が本明細書に組み込まれたものとみなして、参照とすることができる。
また、ステッパー・モータの具体的な位置は設計選択の１つであり、必要なスペーシング、パワーおよびトルクや、月の位相表示の位置設定等の制限によって規定されることは、本技術分野において理解される事項である。
そして、適切な歯車列の製造は、当業者の技術範囲内の事項である。
【００５７】
図６には、本発明を実現するための適切なコントローラの詳細が示され、コントローラは参照記号１００で示されている。
また、図６には、本発明の回転可能部材を回転するために使用され得るモータ（Ｍ１）のインターフェース接続に関しても示されている。
すなわち、図６において、Ｓ１〜Ｓ５のスイッチの内、１つ以上は、他のハードウェアおよびソフトウェアと必要に応じて併用することが可能である。
また、本明細書について記載される適切な方法とは、例えば、上述の図３および図５の実施形態のように、回転可能部材を反対方向（時計回り）に回転、または、継続して時計回りで回転させて元の開始位置に戻すことなどである。
さらに、プッシャーやその他のハードウェアおよびソフトウェアは、必要に応じて、または適切に、北半球または南半球の月の位相を、指針５０Ｂを使用して表示するか否かを選択することに使用することができる（例えば、図３の実施形態）。
また、スイッチは一般的に、側面および上部に設置されたプッシャー、回転クラウンのことで、引張または押圧等のアクションに対して反応する。
【００５８】
例えば、モーター・コントロール回路１０９がＣＰＵ（コアプロセッサ）１０１より、「次のパルスの回数」というコマンドを受け取ると、内蔵されたそれぞれの回転可能部材を回転させるのに必要なパルスおよび段階的なシグナルを、必要な量で適切な方向に発生させ、それに必要なモーター（例えば、Ｍ１）を作動させる。
モーター・コントロール回路１０９のパルスのアウトプットは、１つ以上のモーター・ドライバーＭＤ１〜ＭＤ４によってバッファリングされ、それぞれのモーターに適用される。
その他のモーターは簡易化のために除外されているが、本発明に複数の表示（たとえば、時間と日）が使用される場合は、当然に使用されることが可能である。
すなわち、実際には、月位相表示装置である本発明を機能を遂行するため必要とされるのは１つのモーターのみであるからである。
インプットおよびアウトプット・コントロール回路１１０は、プッシュボタン・スイッチＳ１〜Ｓ５をコントロールし、ＣＰＵ１０１に対してシグナリング情報を提供する。
プッシャー（押圧部）および／またはクラウン（頂部）を使用することで、当業者であれば周知のように、作動モードまたはディスプレイ・オプションを変更できる。
しかしながら、確認のためであるが、本発明に適したコントローラは上述の米国特許第７，１１３，４５０号に記載されており、そのようなコントローラは、適切および正確なコントロール、両針のポジショニングおよび回転を実行し、関連する内容は本明細書に含まれるものとして参照される。
【００５９】
すなわち、コーディングおよびソフトウェアプログラミング的には、コントローラ１００はそれぞれの実施形態に示されるそれぞれの回転可能部材の具体的な位置関係を把握する必要はない。
したがって、コントローラは、空の月の位相に即した正確な速度で、正確に指示器を動かすようにプログラムされるだけで良い。そのようなプログラミングは、当業者であれば十分に理解できる。
一方、回転可能部材が定位置から逸脱した場合は、使用者は、単にプッシャー（押圧部）などを使用して、指示器を動かし、正しい位置に回転可能部材を移動（再配置）させるだけで良い。
【００６０】
本技術分野では周知のことであるが、確認のため記載するならば、ステッパー・モーターＭ１にはローターが組み込まれており、動作可能なようにコントローラと接続している。
また、そのステッパー・モーターは、コントローラのコマンドに反応して、時計回りまたは反時計回りのどちらかの方向に上述のとおり漸進的にステップする。
さらに、ステッパー・モーターのローターは、動作可能なように、本明細書に記載された回転可能部材と結合している。
また、そのローターの回転は、回転可能部材を時計回りおよび／または反時計回りに、上述のとおり漸進的に回転させる。
好ましい実施形態では、モーターは適切に双方向性のステッパー・モーターである。したがって、これは双方向への回転が可能であり、機能的にこのように作動するステッパー・モーターは広く製造可能かつ当業者には周知である。
【００６１】
最後に、好ましい実施形態では、すべての時間と表示機能はコントローラ１００によりコントロールされ、コントローラ１００に高度に統合されるが、当業者には理解されるように、代替の実施形態では、本発明を実施するプロセスから、時間管理機能を分離することが可能である。
【００６２】
また、同様に当業者には周知であるが、回転可能部材や表示装置の位置、大きさに関して、例えば、小歯車およびそれぞれの部分組立品の位置により、単に例示的な意味で記載されているものであり、何ら制限されるものではない。
回転可能部材の望ましい回転や動作を遂行するための歯車の比率もまた、着用型装置１０の要求事項に従った設計的事項の一つである。
したがって、どの具体的な歯車の部品でも、その中のホイールの数は意図した機能を遂行するための設計的事項の一部であり、それは通常の設計者であれば精通しているいくつかの基準に基づいている。
また、本明細書で記載される変動する実施形態に適応させるために、技術者であれば当然に周知であるソフトウェアプログラミング技術や異なるコントローラに基づき、コントローラの機能性は変更されうるものである。
【００６３】
したがって、本発明は、最小の回転部品数で月の位相を表示する着用型装置を提供するものである。
さらに、本発明は、北半球および／または南半球における月の位相を同時または選択的に表示することができる着用型装置を提供するものである。
加えて、本発明は、一定速度で回転する回転可能部材を使用し、元の開始位置に戻るために逆方向に回転する必要をなくすことが可能である月位相表示装置を提供するものである。
また、本発明は、単一方向のモーターを使用したとしても、本明細書に記載される目標を遂行可能である。
【００６４】
したがって、上述の記載によって明らかにされたとおり、上述した目的は効率的に達成することが可能である。
また、上述の構成においては、意図や発明の範囲から逸脱することなく、一定の変更は可能であることから、上記で示され、説明されているすべての事柄は、一例として解釈されるべきであり、かかる内容によって何ら制限がなされるものではない。
例えば、月の画像は、ダイアルへの描写、接着、シルクスクリーン、その他付着させる手段を用いて得られても良い。
加えて、上述の全ての事項は、望ましいイメージが得られるならば、各々の回転可能部材を時計回りに回転させることで遂行しても良い。
さらに、本発明は、必要とされるモーターは単一方向の物のみで良く、これは本発明を実施する上での柔軟性を与える。
また、上述のとおり、表示の順番が、満月を示す位置から開始しているのは、あくまで一例であり、それに制限されるものではない。
すなわち、当業者にとっては、回転可能部材がどの位置から回転を開始しても良いことは十分に理解される。そして、本明細書における月の画像を示す位置は、単なる一例であり、本発明では、異なる半球からの月の位相の見え方を表示するために、記載された例とは異なる位置において、月の画像がダイアル上に配置されることも考慮している。
【００６５】
また、請求の範囲の記載は、本明細書に記載された全ての包括的及びより具体的な構成と、本発明の範囲に関するすべての言及を包含する。
【図１】
2016508614.tif 000003
【図２】
2016508614.tif 000004
【図３】
2016508614.tif 000005
【図４】
2016508614.tif 000006
【図５】
2016508614.tif 000007
【図６】
2016508614.tif 000008
【図７】
2016508614.tif 000009
【図８】
2016508614.tif 000010
【国際調査報告】
2016508614.tif 000011